(57)【要約】【課題】着用者の排泄した排泄物を、着用者の肌に付着し難くすることが可能な、簡易な構造の吸収性物品を提供する。【解決手段】前身頃２、股下部４、後身頃６の各部から形成され、吸収体２２と、少なくとも一部が液透過性材料からなるトップシート１８と、液不透過性材料からなるバックシート２０とを備え、長尺帯状の弾性体１５が、バックシート２０の吸収体２２に接する面又はその反対側の面のいずれか一方の面の長手方向に沿って、吸収体２２の長手方向の両側縁よりも内側に相当する部分に、左右対称に伸張状態にて配置された吸収性物品。【選択図】図２Ｂ
2010115347.tif 000002
【特許請求の範囲】
【請求項１】
前身頃、股下部、及び後身頃の各部から形成され、
吸収体と、少なくとも一部が液透過性材料からなり、前記吸収体の上面を被覆するように配置されたトップシートと、液不透過性材料からなり、前記吸収体の下面を被覆するように配置されたバックシートとを備え、
長尺帯状の弾性体が、前記バックシートの前記吸収体に接する面又はその反対側の面のいずれか一方の面の長手方向に沿って、前記吸収体の長手方向の両側縁よりも内側に相当する部分に、左右対称に伸張状態にて配置されることによって、装着時に、前記吸収体の前記弾性体に挟まれた部分が下側に膨出し、着用者の股下に空間が形成される構成の吸収性物品。
【請求項２】
前記弾性体は、前記バックシートのいずれか一方の面の、前記吸収体を長手方向と平行に三等分したうちの中央領域を除く左右端縁領域に相当する部分に配置された請求項１に記載の吸収性物品。
【請求項３】
前記弾性体は、伸張率１５０〜４００％の範囲内にて前記バックシートに配置された請求項１又は２に記載の吸収性物品。
【請求項４】
前記弾性体は、配置時における伸張状態の長さが前記吸収体の長手方向の長さの２／３よりも短く、１／４よりも長い請求項１〜３のいずれか一項に記載の吸収性物品。
【請求項５】
前記吸収体は、前記吸収体を長手方向と垂直に三等分したうちの、中央にある股下領域に、前記吸収体を長手方向と垂直に折り曲げ可能な折り曲げ線が形成された請求項１〜４のいずれか一項に記載の吸収性物品。
【請求項６】
テープ型使い捨ておむつである、請求項１〜５のいずれか一項に記載の吸収性物品。
【発明の詳細な説明】
【技術分野】
【０００１】
本発明は、吸収体、トップシート、及びバックシートを備えた吸収性物品に関するものである。更に詳しくは、装着時に、着用者の排泄した排泄物を、着用者の肌に付着し難くすることが可能な吸収性物品に関するものである。
【背景技術】
【０００２】
一般に、使い捨ておむつ、尿パッド等の吸収性物品は、吸収体と、少なくとも一部が液透過性材料からなり、吸収体の上面を被覆するように配置されたトップシートと、液不透過性材料からなり、吸収体の下面を被覆するように配置されたバックシートとを備えている。
【０００３】
このような吸収性物品は、トップシートの上面が着用者の肌と接するように使用され、着用者の排泄した排泄物はトップシートの液透過性部分を透過して吸収体に吸収・保持される。そして、吸収体の下面側に配置された液不透過性のバックシートによって、排泄物が吸収性物品の外部に漏洩することが防止される。
【０００４】
このような従来の吸収性物品としては、排泄液の横漏れ防止手段として、立体ギャザーが設けられたものや、例えば特許文献１にあるように、吸収体を折り返すことによって防漏壁を形成したものが知られている。
【０００５】
【特許文献１】特開２００８−２３３６５号公報
【発明の開示】
【発明が解決しようとする課題】
【０００６】
しかしながら、このような立体ギャザー又は防漏壁を備えた従来の吸収性物品は、装着の際に、吸収体及びその上面側に配置されたトップシートが、着用者の身体に密着するように当てがわれるため、着用者の排泄した排泄物が吸収体に吸収・保持される前に着用者の肌に付着してしまう。このため、着用者の肌の広い範囲を汚し、不快な感触を起こさせるばかりではなく、湿疹、あせも、かぶれ等のスキントラブルを生じるおそれがあるという問題があった。
【０００７】
また、従来の吸収性物品は、着用者の肌と吸収体とが近づき過ぎてしまうため、吸収体の両側に形成された立体ギャザー又は防漏壁が十分に起立状態にて機能せず、排泄液の横漏れを完全に防止することができないという問題があったほか、折り返しによる防漏壁の形成は製造が複雑で、量産に適さないという問題もあった。
【０００８】
本発明は、このような従来技術の課題を解決するためになされたものであって、吸収性物品の装着時において、着用者の排泄した排泄物を、着用者の肌に付着し難くすることが可能な簡易な構造の使い捨ておむつを提供するものである。
【課題を解決するための手段】
【０００９】
本発明者らは、前記のような従来技術の課題を解決するために鋭意検討した結果、吸収体、トップシート、及びバックシートを備えた吸収性物品において、バックシートの長手方向に左右対称に長尺帯状の弾性体を設け、装着時における弾性体の収縮に応じて、吸収性物品の股下部の左右の弾性体に挟まれた部分が下方向に膨らみを持つような構成とすることによって、上記課題が解決されることに想到し、本発明を完成させた。具体的には、本発明により、以下の吸収性物品が提供される。
【００１０】
［１］  前身頃、股下部、及び後身頃の各部から形成され、吸収体と、少なくとも一部が液透過性材料からなり、前記吸収体の上面を被覆するように配置されたトップシートと、液不透過性材料からなり、前記吸収体の下面を被覆するように配置されたバックシートとを備え、長尺帯状の弾性体が、前記バックシートの前記吸収体に接する面又はその反対側の面のいずれか一方の面の長手方向に沿って、前記吸収体の長手方向の両側縁よりも内側に相当する部分に、左右対称に伸張状態にて配置されることによって、装着時に、前記吸収体の前記弾性体に挟まれた部分が下側に膨出し、着用者の股下に空間が形成される構成の吸収性物品。
【００１１】
［２］  前記弾性体は、前記バックシートのいずれか一方の面の、前記吸収体を長手方向と平行に三等分したうちの中央領域を除く左右端縁領域に相当する部分に配置された前記［１］に記載の吸収性物品。
【００１２】
［３］  前記弾性体は、伸張率１５０〜４００％の範囲内にて前記バックシートに配置された前記［１］又は［２］に記載の吸収性物品。
【００１３】
［４］  前記弾性体は、配置時における伸張状態の長さが前記吸収体の長手方向の長さの２／３よりも短く、１／４よりも長い前記［１］〜［３］のいずれかに記載の吸収性物品。
【００１４】
［５］  前記吸収体は、前記吸収体を長手方向と垂直に三等分したうちの、中央にある股下領域に、前記吸収体を長手方向と垂直に折り曲げ可能な折り曲げ線が形成された前記［１］〜［４］のいずれかに記載の吸収性物品。
【００１５】
［６］  テープ型使い捨ておむつである、前記［１］〜［５］のいずれかに記載の吸収性物品。
【発明の効果】
【００１６】
本発明の吸収性物品は、着用の際に、着用者の排泄した排泄物を、着用者の肌に付着し難くすることができる。このため、着用者の肌が排泄物で汚れ難く、快適に吸収性物品を使用することができるとともに、湿疹、あせも、かぶれ等のスキントラブルの発生を抑制することができる。また、本発明の吸収性物品は、立体ギャザーを起立状態にて有効に機能させることができ、排泄液の横漏れを効果的に防止することができる。
【発明を実施するための最良の形態】
【００１７】
以下、本発明を実施するための最良の形態を具体的に説明するが、本発明は以下の実施形態に限定されるものではなく、本発明の趣旨を逸脱しない範囲で、当業者の通常の知識に基づいて適宜設計の変更、改良等が加えられることが理解されるべきである。
【００１８】
本発明の吸収性物品は、前身頃、股下部、及び後身頃の各部から形成され、吸収体と、少なくとも一部が液透過性材料からなり、吸収体の上面を被覆するように配置されたトップシートと、液不透過性材料からなり、吸収体の下面を被覆するように配置されたバックシートとを備え、長尺帯状の弾性体が、バックシートの吸収体に接する面又はその反対側の面のいずれか一方の面の長手方向に沿って、前記吸収体の長手方向の両側縁よりも内側に相当する部分に、左右対称に伸張状態にて配置されることによって、装着時に、前記吸収体の前記弾性体に挟まれた部分が下側に膨出し、着用者の股下に空間が形成される構成の吸収性物品である。
【００１９】
ここで、「吸収体の上面」とは、装着時における吸収性物品の内側方向（身体と接する方向）を向いた面を指し、「吸収体の下面」とは、装着時における吸収性物品の外側方向（着衣と接する方向）を向いた面を指す。「下側」も同様に、装着時における吸収性物品の外側方向（着衣と接する方向）を指す。また、「長手方向」とは、吸収性物品の前後方向（前身頃側と後身頃側を結ぶ方向）を意味し、「左右」とは、長手方向を向いた際の、吸収体の幅方向（長手方向と垂直に交わる方向）の左右を意味する。
【００２０】
本発明の吸収性物品は、バックシートに長尺帯状の弾性体が左右対称に伸張状態にて配置されている点に特徴があり、上記弾性体が配置されていること以外の吸収性物品の構造は、吸収体、トップシート、及びバックシートを備えている限り、特に制限されるものではなく、例えば、テープ型の使い捨ておむつであってもよいし、パンツ型の使い捨ておむつであってもよい。また、テープ型やパンツ型の使い捨ておむつの場合には、それが１ピースタイプのものであってもよいし、２ピースタイプのものであってもよい。更には、テープ型やパンツ型の使い捨ておむつに限らず、尿パッド等であってもよい。
【００２１】
尚、本明細書において「パンツ型使い捨ておむつ」とは、例えば、図１Ａ〜図１Ｃに示す吸収性物品１Ａのように、吸収体２２と、トップシート１８と、バックシート２０とを備え、前身頃２と後身頃６の対応する側縁部２ａ，６ａ（２ｂ，６ｂ）同士が接合されて接合部８となり、一つのウエスト周り開口部１０及び一対の脚周り開口部１２（１２ａ，１２ｂ）が形成されることによって、予めパンツ型に構成された使い捨ておむつを意味するものとする。図１Ａは、本発明の吸収性物品の一実施形態を展開し、トップシート側から見た状態を示す概略平面図であり、図１Ｂは、図１Ａに示す吸収性物品のＡ−Ａ’断面を示す概略断面図であり、図１Ｃは、図１Ａに示す吸収性物品を組み立てて正面側から見た状態を示す概略斜視図である。
【００２２】
一方、本明細書において「テープ型使い捨ておむつ」とは、図２Ａ及び図２Ｂに示す吸収性物品１Ｂのように、吸収体２２と、トップシート１８と、バックシート２０とを備え、後身頃６の左右の各側縁部６ａ，６ｂから延出するように配置された、装着時に前身頃２と後身頃６とを固定するための止着テープ１１と、前身頃２の端部に沿って幅方向の中央部に配置された、止着テープ１１を止着させるフロントパッチ１３とを更に備えた使い捨ておむつを意味するものとする。図２Ａは、本発明の吸収性物品の別の実施形態を、トップシート側から見た状態を示す概略平面図であり、図２Ｂは、図２Ａに示す吸収性物品のＡ−Ａ’断面を示す概略断面図である。
【００２３】
また、「１ピースタイプ」とは、図２Ａ及び図２Ｂに示す吸収性物品１Ｂのように、吸収体２２、トップシート１８、及びバックシート２０を備えているが、吸収・保持機能を担う吸収体２２がトップシート１８とバックシート２０の間に一体的に介装（内蔵）され、トップシート１８及び／又はバックシート２０が装着機能を担うように構成されたタイプのおむつを意味するものとする。
【００２４】
そして、「２ピースタイプ」とは、図１Ａ及び図１Ｂに示す吸収性物品１Ａのように、吸収体２２、トップシート１８、及びバックシート２０がパッド状に一体化された吸収性本体１４と、着用者の身体を被包する外装部材１６とを備え、外装部材１６の内側に吸収性本体１４が配置・固定されたタイプのおむつを意味するものとする。
【００２５】
更に、本明細書において「前身頃」とは、着用者に吸収性物品を装着した際に、着用者の腹側（身体前方）を覆う部分、「股下部」とは、着用者に吸収性物品を装着した際に、着用者の股下を覆う部分、「後身頃」とは、着用者に吸収性物品を装着した際に、着用者の背側（身体後方）を覆う部分を意味するものとする。
【００２６】
以下、本発明の吸収性物品の一実施形態として、２ピースタイプのパンツ型使い捨ておむつ及び１ピースタイプのテープ型おむつを例として更に具体的に説明する。
【００２７】
［１］本発明の吸収性物品の特徴部分の構成：
本発明の吸収性物品は、図１Ａ、図１Ｂ、図２Ａ、及び図２Ｂに示すように、長尺帯状の弾性体１５が、バックシート２０の吸収体２２に接する面又はその反対側の面のいずれか一方の面の長手方向に沿って、吸収体２２の長手方向の両側縁よりも内側に相当する部分に、左右対称に伸張状態にて配置されている点に特徴がある。このような構成とすることによって、装着時に、吸収体２２の弾性体１５に挟まれた部分が下側に膨出し、着用者の股下に空間が形成され、トップシート１８及び吸収体２２と肌との密着を避けることが可能となる。
【００２８】
即ち、上記の様に長尺帯状の弾性体をバックシートの長手方向に沿って伸張状態にて配置すると、吸収体に対し、前後方向に収縮させる力が作用し、吸収体の前身頃側及び後身頃側が上側に向かって反り返り、立体的に起立する。その際、吸収体中央の左右の弾性体に挟まれた部分が反対に下側に膨出し、その結果、吸収性物品の股下部に下方向に膨らみを持たせることができ、排泄物を収容する内部空間の容積を大きく確保することができる。従って、着用者の排泄した排泄物が吸収体に吸収・保持される前に着用者の肌に付着してしまうことを回避することができる。
【００２９】
また、本発明の吸収性物品は、図３に示すように、弾性体１５が、バックシート２０のいずれか一方の面の、吸収体２２を長手方向に平行に三等分したうちの中央領域１００を除く左右端縁領域１０１（１０１ａ，１０１ｂ）に相当する部分に配置されていることが好ましい。このような位置に弾性体１５を配置することによって、吸収体の中央部分を十分に下方向へ膨出させることができる。図３は、本発明の吸収性物品に用いられる吸収体の一実施形態を模式的に示す平面図である。尚、図３においては、本来吸収体の下側に位置し、弾性体の配置されているバックシートを図から捨象した。
【００３０】
また、本発明の吸収性物品は、図４に示すように、吸収体２２を長手方向と垂直に三等分したうちの、中央にある股下領域１０４に、吸収体２２を長手方向と垂直に折り曲げ可能な折り曲げ線５０が形成されていることが好ましい。吸収体２２にこのような折り曲げ線５０を形成することによって、吸収体２２の前身頃側領域１０２及び後身頃側領域１０６が上方向に確実に起立するため、装着時に、吸収性物品の股下部に良好に空間を確保することができる。尚、図４は、本発明の吸収性物品に用いられる、折曲げ線を有する吸収体の一実施形態を模式的に示す平面図である。
【００３１】
［１−１］弾性体：
本発明の吸収性物品は、バックシートの吸収体に接する面（バックシート上面）又はその反対側の面（バックシート下面）のいずれか一方の面の長手方向に沿って、長尺帯状の弾性体が、吸収体の長手方向の両側縁よりも内側に相当する部分に、左右対称に伸張状態にて配置されている。このような構成とすることにより、装着の際に、あらかじめ伸張状態にて配置された弾性体が吸収性物品の前後方向に収縮する力を及ぼすため、吸収体を中心とする吸収性物品の股下部において、左右の弾性体に挟まれた部分が、その収縮力によって下方向へ膨らみを形成するようになる。
【００３２】
弾性体は、バックシートのいずれか一方の面の長手方向に沿って、左右対称に配置されることが好ましく、配置本数に特に制限はないが、左右に１本ずつ配置されるほか、吸収体を締め付けすぎることなく適度な収縮力を及ばせることが可能な範囲において、左右に複数本ずつ配置されてもよい。
【００３３】
また、弾性体は、バックシートのいずれか一方の面の、吸収体を長手方向に平行に三等分したうちの中央領域を除く左右端縁領域に相当する部分に配置されることが好ましい。このように、左右の弾性体が吸収体の中央部分を挟むような位置に弾性体を配置することによって、吸収体の中央部分が自然に下方向へ膨出するため、着用者の肌と排泄物の接触を効果的に防止することが可能となる。
【００３４】
弾性体の性質については、吸収体の収縮の程度等を勘案した上で、構成材料、その材料の引張力、固定時の伸長率等を決定すればよい。
【００３５】
弾性体の材料としては、従来の吸収性物品に使用されてきた材料を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００３６】
弾性体は、十分な伸縮力を作用させるため、伸張状態にてバックシートへ配置されることが好ましい。例えば、弾性体が天然ゴムからなる平ゴムや合成ゴムの弾性糸からなる糸ゴムである場合には、１５０〜４００％の伸張率で配置されることが好ましく、２００〜３００％の伸張率で配置されることがより好ましい。このような範囲の伸張状態で配置されることにより、着用者の身体に対して過度の締め付け力を及ぼすことなく、吸収体に対して十分な伸縮力を作用させることが可能となる。
【００３７】
上記のような弾性体は、バックシートに対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。また、図２Ａ及び図２Ｂに示す吸収性物品１Ｂのように、バックシート２０の外表面側にカバーシート２４を設ける場合には、バックシート２０とカバーシート２４の間に弾性体１５を挟んで同時に接着することもできる。
【００３８】
弾性体は、配置時における伸張状態の長さが吸収体の長手方向の長さの２／３よりも短く、１／４よりも長いことが好ましい。配置時における伸張状態の長さが吸収体の長手方向の長さの２／３よりも長いと、吸収性物品の前後方向に過剰な収縮力が発生し、着用者に、締め付け感や密着感等の不快感を与える可能性がある。また、吸収性物品の過度の収縮は、排泄物を着用者の肌に付着し難くするという本発明の課題の達成に合致しない。
【００３９】
［２］本発明の吸収性物品の他の部分の構成：
［２−１］吸収体：
吸収体は、着用者の尿を吸収し、保持するための部材である。吸収体は、着用者の尿や体液を吸収し保持する必要から、吸収性材料によって構成される。
【００４０】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュペーパー、吸収紙、親水化処理を行った不織布を用いることが好ましい。
【００４１】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００４２】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００４３】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、アセテート又はこれらの複合繊維の他、パルプ等を挙げることができる。パルプとしては、カーリーセルロースファイバー等のけん縮繊維を好適に用いることができる。
【００４４】
吸収体の形状については特に制限はないが、従来の吸収性物品において使用される形状、例えば、矩形状、砂時計型、ひょうたん型、Ｔ字型等を挙げることができる。
【００４５】
吸収体は、その全体が親水性シートによって被包されていることが好ましい。このような構成は、吸収体からＳＡＰが漏洩することを防止し、吸収体に形状安定性を付与することができるという利点がある。
【００４６】
通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は少なくとも股下部に介装され、この吸収体が前身頃や後身頃にまで及んでいてもよい。
【００４７】
本発明の吸収性物品は、図４に示すように、吸収体２２を長手方向と垂直に三等分したうちの、中央にある股下領域１０４に、吸収体２２を長手方向と垂直に折り曲げ可能な折り曲げ線５０が形成されていることが更に好ましいが、このような折り曲げ線５０は、吸収体２２の前身頃側領域１０２及び後身頃側領域１０６を確実に起立させることが可能である限り、特にその形状や形成方法は限定されない。例えば、吸収体２２に押圧加工を施すことによって、折り曲げ予定部に線状の薄部を形成する方法や、エンボス加工を施すことによって、間欠的な薄部を形成する方法等がある。
【００４８】
［２−２］トップシート：
トップシートは、吸収体の上面（吸収性物品の装着時における着用者の肌側の面）を被覆するように配置されるシートである。トップシートは、その下面側に配置された吸収体に、着用者の排泄液を吸収させる必要から、その少なくとも一部（全部又は一部）が液透過性材料により構成される。
【００４９】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００５０】
トップシートは単一のシート材によって構成されていてもよいが、複数のシート材によって構成されていてもよい。例えば、テープ型使い捨ておむつにおいては、図２Ａに示すように、おむつの中央部には液透過性材料からなるトップシート１８（センターシート１８ａ）を配置し、おむつのサイドフラップ９部分には撥水性材料からなるトップシート１８（サイドシート１８ｂ）を配置する形態がよく利用される。
【００５１】
サイドシートを構成する撥水性材料としては、スパンボンドやカードエンボス等の不織布を用いることができる。中でも、ＳＭＳ（スパンボンド／メルトブロー／スパンボンド）、ＳＭＭＳ（スパンボンド／メルトブロー／メルトブロー／スパンボンド）等の不織布は耐水圧が高いという利点があり、好適に用いることができる。
【００５２】
［２−３］バックシート：
バックシートは、吸収体の下面（吸収性物品の装着時における着用者の着衣側の面）を被覆するように配置されるシートである。バックシートは、着用者の排泄液が吸収性物品外部に漏洩してしまうことを防止する必要から、液不透過性材料によって構成される。
【００５３】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、吸収性物品内部の蒸れを防止することができるという利点がある。
【００５４】
なお、１ピースタイプの使い捨ておむつにおいては、図２Ａ及び図２Ｂに示す吸収性物品１Ｂのように、バックシート２０には、その外表面側にシート材（カバーシート２４）を貼り合わせてもよい。このカバーシート２４は、バックシート２０を補強し、バックシート２０の手触り（触感）を良好なものとするために用いられる。
【００５５】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００５６】
本発明の吸収性物品においては、バックシートの上面（吸収体に接する面）又はその反対側の面である下面に弾性体が配置されるが、図２Ａ及び図２Ｂに示す吸収性物品１Ｂのように、カバーシート２４を有する１ピースタイプの使い捨ておむつにおいて、バックシートの下面に弾性体が配置される場合には、弾性体１５は、バックシート２０の下面とカバーシート２４の間に挟み込まれるように配置される。
【００５７】
また、２ピースタイプの使い捨ておむつにおいては、図１Ａ〜図１Ｃに示す吸収性物品１Ａのように、吸収体２２、トップシート１８、及びバックシート２０がパッド状に一体化され、吸収性本体１４を形成し、吸収性本体１４が外装部材１６の内側に配置・固定された構成としてもよい。この外装部材１６は、吸収体本体１４を固定すると同時に、着用者の身体を被包するために用いられる。
【００５８】
吸収性本体は、トップシートとバックシートの間に吸収体を挟み込み、吸収体の周縁部を封着することによって製造することができる。吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えばホットメルト接着剤等を用いて、外装部材に対して固定することができる。
【００５９】
一方、外装部材は、前身頃、股下部、及び後身頃の各部を形成するシート状の部材である。２ピースタイプのテープ型おむつやパンツ型おむつにおいては、着用者の排泄液を吸収し、保持する吸収・保持機能については、専ら吸収性本体が果たすことになるので、外装部材を構成する材料として液不透過性材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。
【００６０】
［２−４］立体ギャザー：
本発明の吸収性物品は、例えば、図１Ａ，図１Ｂに示す吸収性物品１Ａ、及び図２Ａ，図２Ｂに示す吸収性物品１Ｂのように、トップシート１８の表面に、吸収体２２の長手方向の両側縁に沿って、撥水性シート３２（３２ａ，３２ｂ）からなり、立体的に起立可能に構成された、立体ギャザー２６が付設されていることが好ましい。
【００６１】
立体ギャザーは、着用者の排泄した排泄液の横漏れを防止するための部材であり、立体的に起立可能なように構成された防漏壁である。この立体ギャザーを形成することにより、立体ギャザーが防波堤となり、排泄液の脚周り等への漏れ（いわゆる「横漏れ」）を防止することができる。本発明においては、弾性体の収縮による吸収体の中央部分の下方向への膨らみと立体ギャザーの起立部分とによって形成される空間（隙間）に着用者の排泄した排泄物を一時的に保持することができ、排泄物を、着用者の肌に付着し難くすることができるだけでなく、立体ギャザーが起立状態にて正常に機能するため、排泄液の横漏れも一層効果的に防止される。
【００６２】
立体ギャザーの構成は、従来の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【００６３】
立体ギャザーを構成するシート材としては、立体ギャザーの防漏性を向上させるという観点から、撥水性材料からなるシート（撥水性シート）を用いることが好ましい。
【００６４】
立体ギャザー伸縮材としては、従来の吸収性物品で使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００６５】
立体ギャザーの種類としては、（１）吸収性物品の内側に向かって傾倒する内倒しギャザー、（２）吸収性物品の外側に向かって傾倒する外倒しギャザー、（３）高さ方向の一部に、曲げ部や折り返し部を形成した立体ギャザー（Ｃ折りギャザーやＺ折りギャザー等）等を挙げることができる。これらの中では、防漏性が高い点において内倒しギャザーが特に好ましい。
【００６６】
尚、「吸収体の長手方向の両側縁に沿って」とは、概ね吸収体の長手方向の両側縁と同方向に立体ギャザーが付設されていることを意味する。但し、吸収体の側縁は、脚周り開口部に沿って曲線的に形成される場合もあり、直線的に形成されているとは限らない。従って、立体ギャザーは、必ずしも吸収体の側縁に接するように付設されている必要はなく、吸収体の側縁と同一の軌跡を描くように付設されている必要もない。通常は、吸収体の形状に拘らず、直線的に立体ギャザーを配置することが多い。
【００６７】
［２−５］各種伸縮材：
吸収性物品においては、漏れ防止やフィット性向上を目的として、各種伸縮材が配置される。本発明の吸収性物品は、例えばテープ型使い捨ておむつの場合であれば、図２Ａ，図２Ｂに示す吸収性物品１Ｂのように、脚周り伸縮材４０及びウエスト周り伸縮材４２が配置されていることが好ましい。一方、パンツ型使い捨ておむつの場合には、図１Ａ〜Ｃに示す吸収性物品１Ａのように、これらに加えて更に腹周り伸縮材４４が配置されていることが好ましい。
【００６８】
脚周り伸縮材は、脚周り開口部に配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの排泄液の横漏れを効果的に防止することができる。
【００６９】
脚周り伸縮材４０は、パンツ型使い捨ておむつの場合であれば、図１Ａに示すように、脚周り開口部１２（１２ａ，１２ｂ）の軌跡に沿って曲線的に配置する構成等を採用することができ、一方、テープ型使い捨ておむつの場合には、図２Ａに示すように、脚周り開口部１２（１２ａ，１２ｂ）に内接するように直線的に配置する構成等を採用することができる。
【００７０】
ウエスト周り伸縮材は、ウエスト周り開口部に配置される伸縮材である。ウエスト周り伸縮材を配置することによって、ウエスト周り開口部に伸縮性に富むギャザー（ウエストギャザー）を形成することができる。このウエストギャザーにより、ウエスト周りに隙間が形成され難くなり、ウエスト周りからの排泄液の漏れを防止することができる他、着用者へのおむつのフィット性が良好となり、おむつのずり下がりが防止される。
【００７１】
ウエスト周り伸縮材４２は、パンツ型使い捨ておむつの場合であれば、図１Ａ及び図１Ｃに示すように、ウエスト周り開口部１０に沿って長尺帯状の伸縮材（糸ゴムや平ゴム等）を全周に渡って配置する構成等を採用することができ、一方、テープ型使い捨ておむつの場合には、少なくとも吸収性物品の後身頃側の端部に沿って、好ましくは後身頃側及び前身頃側の端部に沿って、帯状の伸縮材（ウレタンフォーム等）を幅方向の中央部に配置する構成等を採用することができる。
【００７２】
腹周り伸縮材は、パンツ型使い捨ておむつのウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００７３】
これらの伸縮材については、既に述べた立体ギャザー伸縮材と同様の構成を採用することができる。そして、ギャザーの収縮の程度等を勘案した上で、構成材料、その材料の伸張率、固定時の伸張状態等を決定すればよい。
【００７４】
［３］本発明の吸収性物品の適用対象：
本発明の吸収性物品の適用対象は、これまでに説明した２ピースタイプのパンツ型おむつ及び１ピースタイプのテープ型おむつに限られるものではなく、例えば、１ピースタイプのパンツ型おむつや、２ピースタイプのテープ型おむつにも適用することができるが、特にテープ型おむつに適用することが好ましい。また、おむつ等の股下部に配置して使用する尿パッド等に適用することもできる。
【００７５】
即ち、これまでに説明した使い捨ておむつ以外の使い捨ておむつ及び尿パッド等においても、長尺帯状の弾性体が、バックシートの長手方向に沿って左右対称に伸張状態にて配置されることによって、上記の使い捨ておむつと同様の効果を得ることができる。
【００７６】
尚、「尿パッド」とは、インナーパッド、補助パッドとも称され、専ら尿吸収を目的とする吸収パッドである。この尿パッドは、下着の内面や使い捨ておむつのトップシートの表面に載置した状態で用いられる。尿パッドは、使い捨ておむつと同様に、吸収体と、吸収体の上面を被覆するように配置されたトップシートと、吸収体の下面を被覆するように配置されたバックシートとを備えるが、着用者の腰周りを被包する部分を持たない小型のパッド状に構成されることが一般的である。
【産業上の利用可能性】
【００７７】
本発明の吸収性物品は、着用者の肌が排泄物で汚れ難く、快適な使用感を維持し、スキントラブルの発生を抑制するとともに、排泄液の横漏れを効果的に防止することができ、乳幼児用又は介護を必要とする高齢者や障害者等の成人用の使い捨ておむつ、尿パッド等の吸収性物品として好適に利用することができる。
【図面の簡単な説明】
【００７８】
【図１Ａ】本発明の吸収性物品の一実施形態を展開し、トップシート側から見た状態を示す概略平面図である。
【図１Ｂ】図１Ａに示す吸収性物品のＡ−Ａ’断面を示す概略断面図である。
【図１Ｃ】図１Ａに示す吸収性物品を組み立てて正面側から見た状態を示す概略斜視図である。
【図２Ａ】本発明の吸収性物品の別の実施形態を、トップシート側から見た状態を示す概略平面図である。
【図２Ｂ】図２Ａに示す吸収性物品のＡ−Ａ’断面を示す概略断面図である。
【図３】本発明の吸収性物品に用いられる吸収体の一実施形態を模式的に示す平面図である。
【図４】本発明の吸収性物品に用いられる、折曲げ線を有する吸収体の一実施形態を模式的に示す平面図である。
【符号の説明】
【００７９】
１Ａ，１Ｂ：吸収性物品、２：前身頃、２ａ，２ｂ：側縁部、４：股下部、６：後身頃、６ａ，６ｂ：側縁部、８：接合部、９：サイドフラップ、１０：ウエスト周り開口部、１１：止着テープ、１２，１２ａ，１２ｂ：脚周り開口部、１３：フロントパッチ、１４：吸収性本体、１５，１５ａ，１５ｂ：弾性体、１６：外装部材、１８：トップシート、１８ａ：センターシート、１８ｂ：サイドシート、２０：バックシート、２２：吸収体、２４：カバーシート、２６，２６ａ，２６ｂ：立体ギャザー、３２，３２ａ，３２ｂ：撥水性シート、３６，３６ａ，３６ｂ：立体ギャザー伸縮材、４０，４０ａ，４０ｂ：脚周り伸縮材、４２：ウエスト周り伸縮材、４４：腹周り伸縮材、５０：折り曲げ線、１００：中央領域、１０１，１０１ａ，１０１ｂ：端縁領域、１０２：前身頃側領域、１０４：股下領域、１０６：後身頃側領域。
【図１Ａ】
2010115347.tif 000003
【図１Ｂ】
2010115347.tif 000004
【図１Ｃ】
2010115347.tif 000005
【図２Ａ】
2010115347.tif 000006
【図２Ｂ】
2010115347.tif 000007
【図３】
2010115347.tif 000008
【図４】
2010115347.tif 000009